(57)【要約】  自己推進型トローリーアセンブリ（１００）は、バッテリー（１５６）と、バッテリーにより給電される電気モータ（１５１、１５２；１）により駆動される少なくとも１つの車輪（１１１、１１２）と、少なくとも１つのトローリー車輪（１１１、１１２）の回転位置または回転速度を検出するよう配置される回転位置または速度センサ（９）と、ユーザインタフェース（１５３）と、前記ユーザインタフェースからの入力に基づいて前記電気モータを調整し、これにより、特定の駆動パターンに基づいて、前記車輪の回転に作用するよう配置される制御ユニット（１５０）と、を備える。前記制御ユニットは、前記位置または速度センサから読み出される情報、フリーホイール駆動パターン、および揺動駆動パターンに基づいて、少なくともフィードバック支援推進駆動パターンを実装するよう配置される。前記駆動パターンのすべては、前記電気モータへ異なる駆動電圧パターンを使用して実装される。前記電気モータは、固定子（２）が、対応する回転子（３）の極の数の整数倍でない数の固定子（２）の極（７）を備え、前記固定子極が、前記電気モータの角度方向周囲に順に搭載される、少なくとも３つの磁気的および電気的に同一のサブセット（８）に分割されるタイプである。【選択図】  図２
2019513601.tif 000002
【特許請求の範囲】
【請求項１】
自己推進型トローリーアセンブリ（１００）であって、
バッテリー（１５６）と、
電気モータ（１５１、１５２；１）により駆動される少なくとも１つの車輪（１１１、１１２）と、ここで前記電気モータ（１５１、１５２；１）は前記バッテリー（１５６）により給電され、
少なくとも１つのトローリーの車輪（１１１、１１２）の回転位置または回転速度を検出するよう配設される回転位置または速度センサ（９）と、
ユーザインタフェース（１５３）と、および
前記ユーザインタフェース（１５３）からの入力に基づいて前記電気モータ（１５１、１５２；１）を調整するよう配設されて、特定の駆動パターンに基づいて前記車輪（１１１、１１２）の回転に作用する制御ユニット（１５０）と、を備え、
前記制御ユニット（１５０）は、前記位置または速度センサ（９）から読み出される情報、フリーホイール駆動パターン、および揺動駆動パターンに基づいて、少なくともフィードバック支援推進駆動パターンを実装するよう配設され、
前記駆動パターンのすべては、前記電気モータ（１５１，１５２；１）への異なる駆動電圧パターンを使用して実装され、および
前記電気モータ（１５１、１５２；１）は、固定子（２）が、対応する回転子（３）の極（７）の数の整数倍でない数の固定子（２）の極（７）を備え、前記固定子（２）の極（７）が、前記電気モータ（１５１、１５２；１）の角度方向周囲に順に搭載される、少なくとも３つの磁気的および電気的に同一のサブセット（８）に分割されるタイプである、
ことを特徴とする自己推進型トローリーアセンブリ（１００）。
【請求項２】
前記位置または速度センサ（９）は、前記制御ユニット（１５０）にモータ（１５１、１５２；１）の回転位置または速度情報を供給するよう配設されるホール効果センサである、
ことを特徴とする請求項１に記載の自己推進型トローリーアセンブリ（１００）。
【請求項３】
前記トローリーアセンブリ（１００）は、子供用のベビーカーである、
ことを特徴とする請求項１または２に記載の自己推進型トローリーアセンブリ（１００）。
【請求項４】
前記トローリーアセンブリ（１００）は、液体試料用の運搬トローリーである、
ことを特徴とする請求項１または２に記載の自己推進型トローリーアセンブリ（１００）。
【請求項５】
前記制御ユニット（１５０）は、ユーザ設定可能な速度駆動パターンを実装するよう配設され、
前記制御ユニット（１５０）は、フィードバックループに基づいて、前記バッテリー（１５６）から前記モータ（１５１、１５２；１）へ供給される電圧を調整することにより、前記トローリー（１００）の速度を連続的に計測して、ユーザ設定速度と比較し、これにより、前記ユーザ設定速度を達成するよう配設される、
ことを特徴とする請求項１から４のいずれか１項に記載の自己推進型トローリーアセンブリ（１００）。
【請求項６】
前記ユーザ設定可能なスピード駆動パターンの前記フィードバックループはまた、モータ（１５１、１５２；１）の検出された電流使用に基づいて、モータ（１５１、１５２；１）の電力消費を調整し、これにより、増加した電流使用が増加した電力消費をもたらす、ことを含む、
ことを特徴とする請求項５に記載の自己推進型トローリーアセンブリ（１００）。
【請求項７】
前記ユーザ設定可能なスピード駆動パターンの前記フィードバックループはまた、前記ユーザ設定速度が所定の間接または直接の値の分超えた際に、ブレーキメカニズムを採用する、ことを含む、
ことを特徴とする請求項５または６に記載の自己推進型トローリーアセンブリ（１００）。
【請求項８】
前記モータ（１５１、１５２；１）は、発電機モードで駆動されるよう配置され、
前記ブレーキメカニズムは、前記モータ（１５１、１５２；１）を前記発電機モードへ切り替え、生成された電圧を使用して、前記バッテリー（１５６）を再充電する、ことを含む、
ことを特徴とする請求項７に記載の自己推進型トローリーアセンブリ（１００）。
【請求項９】
前記発電機モードは、前記制御ユニット（１５０）が、前記モータ（１５１、１５２；１）の固定子（２）に対する前記モータ（１５１、１５２；１）の回転子（３）の強制回転による誘導電流の方向をアクティブに制御して、前記バッテリー（１５６）を再充電するために、前記バッテリー（１５６）へ前記電流を供給することにより、実装される、
ことを特徴とする請求項８に記載の自己推進型トローリーアセンブリ（１００）。
【請求項１０】
前記トローリー（１００）は、前記制御ユニット（１５０）により始動されるよう配設される機械的ブレーキを備え、
前記ブレーキメカニズムは、前記機械的ブレーキを始動する、ことを含む、
ことを特徴とする請求項７から９のいずれか１項に記載の自己推進型トローリーアセンブリ（１００）。
【請求項１１】
前記モータ（１５１、１５２；１）は、フリーホイールモードで駆動されるよう配設され、
前記制御ユニット（１５０）は、前記フリーホイールの駆動パターンを実装する間、前記フリーホイールモードを作動するよう配設される、
ことを特徴とする請求項１から１０のいずれか１項に記載の自己推進型トローリーアセンブリ（１００）。
【請求項１２】
前記フリーホイールモードは、前記モータ（１５１、１５２；１）へ供給される電圧をスイッチオフすることにより実装される、
ことを特徴とする請求項１１に記載の自己推進型トローリーアセンブリ（１００）。
【請求項１３】
前記制御ユニット（１５０）は、前記トローリーアセンブリの後方および前方回転の間を区別するよう配設され、
前記モータ（１５１、１５２；１）は、検出された回転方向に依存して、前記フィードバック支援推進駆動パターンの間、後方または前方に駆動されるよう配設される、
ことを特徴とする請求項１から１２のいずれか１項に記載の自己推進型トローリーアセンブリ（１００）。
【請求項１４】
前記制御ユニット（１５０）は、前記センサ（９）の情報に基づいて、前記トローリー（１００）の回転方向を検出し、前記フィードバック支援推進駆動パターンを前記検出された回転方向で実装するよう配設される、
ことを特徴とする請求項１から１３のいずれか１項に記載の自己推進型トローリーアセンブリ（１００）。
【請求項１５】
前記揺動駆動パターンは、前記制御ユニット（１５０）が、所定の回転パターンに基づいて、時間の関数として、前記モータ（１５１、１５２；１）を制御して前記トローリーアセンブリ（１００）を後方および前方に推進することにより、実装される、
ことを特徴とする請求項１から１４のいずれか１項に記載の自己推進型トローリーアセンブリ（１００）。
【請求項１６】
前記トローリー（１００）は、デッドマンスイッチを備え、
前記制御ユニット（１５０）は、前記制御ユニットが給電され、および前記位置または速度センサ（９）からの情報が、前記トローリーが現在移動していることを示す際、前記デッドマンスイッチが作動した場合に、ブレーキメカニズムを適用するよう配設される、
ことを特徴とする請求項１から１５のいずれか１項に記載の自己推進型トローリーアセンブリ（１００）。
【発明の詳細な説明】
【技術分野】
【０００１】
本発明は、自己推進型(self-propelling)トローリーアセンブリに関し、特に、子供用ベビーカー(stroller)または液体試料用の運搬トローリーに関する。
【背景技術】
【０００２】
トローリー(trolleys)のユーザは、しばしばその操作に問題があり得ることを体験する。これらを上り坂で押すまたは引く際、または実質的に平坦な地面上で重い荷物を運搬する際でさえ、ユーザは、大きなストレスを体験し得る。同様に、トローリーを下り坂で押す際、トローリーが手から離れて（coming loose）加速する(picking up speed)ことを防止するのに相当な力を要し得る。しばしば、身体を人間工学的に正しいまたはつらくない位置にしたままトローリーを引くまたは押すことは困難または不可能である。あるいは、トローリーのユーザは、そうした位置を維持するのに十分強くないかもしれない。
【０００３】
特に、子供用のトローリーおよび液体試料用の運搬トローリーのため、例えば、医療または医薬産業内での使用のため、こうしたトローリーのユーザがトローリーを保持することができず手が離れれば、危険な状況(security risk)は深刻である。
【０００４】
トローリーが自己推進型であって必要となる押す力を減少させることにより、一般により少ない労力で、そうしたトローリーを押すまたは引くことができることがまた、望まれている。
【０００５】
子供用のトローリーおよび液体試料用の運搬トローリーのため、運搬される子供または液体試料を揺動(rock)できることがまた望まれており、前者の場合、子供を落ち着かせる(soothe)ためであり、後者の場合、例えば、試料が沈殿しないようにするためである。異なる揺動プログラムを使用してこうした揺動(rocking)が可能であることが望まれており、これにより、好適な揺動運動を、状況に応じて選択することができる。
【０００６】
同時に、例えばユーザがより多くの運動をしたいと希望するとき、または小さなスペースで操作する際、トローリーが従来の電動でない(non-motorized)車輪付きの(wheeled)トローリーとして動作する、開放された(disengaged)、フリーホイール（惰性走行）(free-wheeling)モードを提供するニーズがある。
【０００７】
これらの目的のすべては、トローリーアセンブリが環境上フレンドリーであり、生産するのにコスト効率がよくあるべきであるのと同時に、簡易、頑丈かつエネルギー効率のよい構造を使用し、柔軟性および最高の安全基準の双方を提供して、達成されるべきである。
【０００８】
多数の自己推進型トローリーが提案されて、上記の課題のサブセットへの解決手段を提供している。これらのいくつかは、速度制御を備える子供用のトローリーを開示する米国特許第８４９９８９８  Ｂ２公報、子供用のトローリーで使用するための揺動機能を開示するＰＣＴ国際公開公報ＷＯ２０１４０１３４８２  Ａ１公報、トローリー用のそれぞれ接続断可能なモータを開示する米国特許第５９３７９６１  Ａ公報および米国特許第８０３３３４８  Ｂ１公報、および受動軸（被駆動軸）(driven shaft)に配置されるモータを開示する欧州特許出願公開公報ＥＰ  ２０１９０１６  Ａ２公報を含む。
【発明の開示】
【発明が解決しようとする課題】
【０００９】
本発明は、上記の課題を解決する。
【課題を解決するための手段】
【００１０】
こうして、本発明は、自己推進型トローリーアセンブリに関し、このトローリーアセンブリは、バッテリーと、電気モータにより駆動される少なくとも１つの車輪(wheel)と、ここでこの電気モータは前記バッテリーにより給電され、少なくとも１つのトローリー車輪の回転位置または回転速度を検出するよう配設される回転位置または速度センサと、ユーザインタフェースと、および前記ユーザインタフェースからの入力に基づいて前記電気モータを調整するよう配設され、特定の駆動パターンに基づいて前記車輪の回転に作用する(affect)制御ユニットと、を備える。
このトローリーアセンブリは、前記制御ユニットが、前記位置または速度センサからの情報、フリーホイール(free-wheeling)駆動パターン、および揺動(rocking)駆動パターンに基づいて、少なくともフィードバックに支援された推進駆動パターン(feedback assisted propulsion drive pattern)を実装するよう配設されることを特徴とする。
このトローリーアセンブリは、前記駆動パターンのすべては、前記電気モータへの異なる駆動電圧パターンを使用して実装されることを特徴とする。
このトローリーアセンブリは、電気モータが、固定子が、対応する回転子極(rotor poles)の数の整数倍でない数の固定子極(stator poles)を備え、かつ固定子極が、前記電気モータの角度方向周囲に順に搭載される少なくとも３つの磁気的および電気的に同一のサブセット（部分集合）(subsets)に分割されるタイプであることを特徴とする。
【００１１】
以下、本発明を、本発明の例示的実施形態および添付図面を参照して、詳細に説明する。
【図面の簡単な説明】
【００１２】
【図１】図１は、本発明に係るトローリーアセンブリのモータの概略側面図である。
【図２】図２は、本発明に係るトローリーの概略図である。
【発明を実施するための形態】
【００１３】
本発明は、特定のタイプの電気モータ、すなわち、多数の固定子極を備える固定子および多数の回転子極を備える回転子を有するブラシレス電気モータを使用する。このタイプのモータでは、固定子は、対応する回転子の数の整数倍でない多数の固定子極を備え、および固定子極は、電気モータの角度方向周囲に順に（交互に）(one after the other)搭載される少なくとも３つの磁気的および電気的に同一のサブセットに分割される(subdivided)。好適には、固定子極は、固定子外縁(periphery)に沿って等距離に配置される。対応して、回転子極は、好適には、回転子外縁に沿って等距離に配置される。
【００１４】
好適には、モータは、トローリーのそれぞれの車輪を直接駆動するよう配置される。例えば、モータは、車輪軸上に搭載され、この軸に対して車輪を駆動することができ、２つである場合、好適には、実質的に同一の複数のモータが、軸のいずれかの側部に搭載されることができ、それぞれ対応する１つの車輪を駆動する。この場合、問題となるそれぞれの車輪に関する位置センサデータを使用し、トローリーを転回（旋回）させる際にまた適切な自動推進を提供する、以下に述べるフィードバック制御メカニズムがそれぞれそうして駆動される車輪上に個別に実行されることが望ましい。
代替的に、このタイプのモータが搭載されて車輪軸を順に駆動し、２つの車輪を同時に推進することができる。２つ以上の車輪軸上の車輪がまた、対応する方法で、駆動されてよい。こうして、１つから少なくとも４つの間のモータが、１つのトローリーで使用されることができる。好適には、すべてのモータは、同一の制御ユニット（以下参照）により制御され、同一の制御ユニットと通信する。
【００１５】
本願発明者は、本タイプのトローリーアセンブリを推進するためのこうした電気モータの使用が、多数の利点を達成することを見出した。
【００１６】
第１に、こうしたモータは、非常に低いモータのコギング（脈動）(cogging)を実現し、これは、車輪の滑らかな回転を提供する。
【００１７】
第２に、モータは、フィードバックアルゴリズムが、回転速度およびパターンの広範なスペクトラムに亘り、モータ自体からの回転位置のフィードバックを考慮することに基づいて、精度よく制御されることができる。
【００１８】
第３に、モータは、生成された電流を使用してバッテリーを再充電する間、トローリーにブレーキをかける(braking)モータのための発電機(generator)として使用されることができる。
【００１９】
第４に、モータはまた、ここで以下に説明するようなフリーホイール（惰性走行）(free-wheeling)機能を可能にする。
【００２０】
同時に、それ自体が一般的に自己推進型トローリーアセンブリでの使用に好適である多くのタイプの電気モータがあり、例えば、従来のステッピングモータまたはあらゆる他のタイプの従来のブラシレスモータである。本願発明者は、これと対照的に、特定のタイプのモータが、ここに説明される多様なトローリーの機能に特によく適合するものであり、非常に簡易であるが頑丈な構造を、最小限の可動部品および磨耗細部で提供することを見出した。
【００２１】
上記のタイプのモータ自体は、欧州特許ＥＰ０９９６２１７  Ｂ１公報から公知であり、これは特にここで、モータ自体に関する情報のため参照される。欧州特許ＥＰ０９９６２１７  Ｂ１公報の図２は、これはまた本出願の図１として編集されたバージョンで示されるが、固定子２および回転子３を有するそうしたモータ１を概略図示する。図において、回転子３は、固定子２を包囲し、しかしながら状況が逆であってもよいものと理解される。
【００２２】
固定子２は、固定子極(stator poles)７を備え、回転子３は、回転子極(rotor poles)６を備える。極６，７の間に、例えば空隙などの間隙があり、これにより、極６，７は、互いに物理的に接触しない。これにより、モータ１は、実質的に摩擦なしで回転する。
【００２３】
回転子極７は、好適には永久磁石の形式で、交互に並ぶＳ極４およびＮ極５の回転子極の対に分割される。
【００２４】
モータは、好適には、モータ内部のＡＣ／ＤＣ変換器を使用して、あるいは制御装置（以下参照）の部品として、あるいは制御装置により制御される外部部品として配置されるこうした変換器を使用して、交流が供給されるよう配設される。
【００２５】
より正確には、固定子極７は、上記のＡＣ／ＤＣ変換器（位相シフト回路を備えてよい）により、以下に従った直流電圧を供給される。
【００２６】
【表１】
2019513601.tif 000003
【００２７】
一般的に、極性配置およびモータ１の極への給電の詳細に関する特定の参照が本明細書でなされる文献ＥＰ０２９１２１９  Ａ１公報には、そうした位相値、固定子極７の数、および回転子極６の数をどのように選択するかが開示されている。
【００２８】
同一の参照（Ａ１，Ａ３，Ａ２等）を有するすべての極は、直列に、または好適には並列に接続されることができる。
【００２９】
本願発明の目的に重要であるのは、固定子２が、対応する回転子極６の数（本実施形態の場合４０の極６）の整数倍でない数の固定子極７（本実施形態の場合４５の極７）を備えることであり、および固定子極７が、少なくとも３つの磁気的および電気的に同一のサブセット８またはコヒーレントゾーン(coherent zone)に分割されることであり、これらは、モータ１の角度方向周囲に順に搭載される。これはまた、固定子２が、その極７に対して５回の回転対称(five-fold rotation symmetry)で配置されると表現することができる。図１において、サブセット８は、５の数であるが、これらは少なくとも３である限り、より多くても少なくてもよいことが理解されるべきである。
【００３０】
固定子極７をこうしたサブセット８で配置することによる、こうした異なる数の極６、７を使用することの組み合わせは、モータ１のより少ないコギングをもたらし、一方、本願発明の目的のためこうしたモータのすべての所望の特徴を、本願発明者による実地実験で、特に効率性、滑らかさ、ノイズレベルおよび正確性の観点から、極めて有利であると実証された方法で、サポートする。
【００３１】
さらに、モータ１は、図１に概略図示されるように、ホール位置(hall position)センサ９を使用することをサポートする。位置センサ９は、モータの回転位置を検出するよう配設され、またはロジック（論理回路）を備えて、現在の回転速度の値を直接供給してよい。
【００３２】
図２は、簡略な概観で、本発明に係るトローリー１００を示す。上記のとおり、トローリー１００は、子供用のトローリーまたはベビーカー、代替的に、液体試料用、例えば、医療、医薬または生化学分野での使用のための生物学または化学試験管試料用、の運搬トローリーであってよい。前者の場合、トローリー１００の本体１２０は、子供用のシートまたはベッドを備えてよく、後者の場合、本体１２０は、試験管等のための区画（コンパートメント）を備えてよいことが理解されるべきである。
【００３３】
トローリー１００は、本発明に係る自己推進型トローリーアセンブリを構成し、バッテリー１５６と、少なくとも１つの対応する電気モータ１５１、５１２により駆動される少なくとも１つの車輪軸１１０と、を備え、電気モータ１５１、１５２は、バッテリー１５６により給電される。トローリー１００の背面から示す図２において、１つの車輪軸１１０のみが図示されている。しかしながら、典型的には、２つの車輪軸が存在し、それらのそれぞれは、１つまたは２つのモータを使用して駆動されてよい。上記のとおり、１つの電気モータはまた、軸１００全体を推進してもよい。
【００３４】
上記した回転位置または速度センサ９は、好適には、上記モータ１５１、１５２のすくなくとも１つに、好適には、それぞれのモータ１５１、１５２に導入されて、上記モータ１５１、１５２の位置または速度を上記した方法で個別に計測する。センサ９は、トローリー１００の少なくとも１つの車輪１１１、１１２または軸１１０の回転位置または回転速度を検出するよう配設される。
【００３５】
ユーザインタフェース１５３は、好適には、機能スイッチ１５７、デッドマン（安全装置）(dead man’s)スイッチ１５４、およびユーザ速度設定コントローラ(control)１５５を備え、好適には、トローリー１００のハンドルバー(handlebar)１３０上に配置される。デッドマンスイッチ１５４は、好適には、後述するように、モータ１５１、１５２の電力を使用してトローリーを推進させるため、保持または押下(pressed in)されなければならない。測定設定コントローラ１５５は、レバー、旋回可能なハンドル等であってよいが、ユーザに所望のトローリー１００の速度を、例えば連続する許容範囲内の特定の値または所定の速度の離散集合からの１つの値に、設定させるよう配設される。
【００３６】
トローリー１００はまたは、上記本体１２０およびシャーシ（車台）(chassis)１０１を備える。
【００３７】
トローリー１００の制御ユニット１５０は、ユーザインタフェース１５３からの入力に基づいて電気モータ１５１、１５２を調整するよう配設されて、これにより、駆動パターンのセットの特定の１つに基づいて上記車輪１１１、１１２の回転に作用し、この駆動パターンは、好適には少なくとも３つの数である。
【００３８】
より正確には、本発明によれば、制御ユニット１５０は、上記の位置または速度センサ９から読み出される情報、フリーホイール(free-wheeling)駆動パターン、および揺動(rocking)駆動パターンに基づいて、少なくともフィードバックに支援される（フィードバック支援）推進駆動パターンを実装するよう配設される。
【００３９】
さらに本発明によれば、上記の駆動パターンのすべては、制御ユニット１５０が、電気モータ１５１、１５２に供給される電圧パターンを制御することにより、実装され、これにより、異なる駆動電圧パターンが、電気モータ１５１、１５２に異なる駆動パターンのため供給される。こうした駆動電圧パターンは、好適には、制御ユニット１５０内に配置される汎用プログラム可能ハードウエア回路内のソフトウエアに実装される。このハードウエア回路は、メモリ、マイクロプロセッサ、および電気通信手段を備える。制御ユニット１５０は、例えば無線または有線のデジタルインタフェースを使用して、ユーザインタフェース１５３、モータ１５１、１５２等と通信することが理解されるべきである。
【００４０】
重要なことに、電気モータ１５１、１５２、および特に、トローリー１００の１つまたは複数の車輪１１１、１１２を推進するために使用されるすべての電気モータは、上記したタイプであり、すなわち、固定子は、対応する回転子極の数の整数倍でない数の固定子極を備え、固定子極は、電気モータ１５１、１５２の角度方向周囲に順に搭載される、少なくとも３つの磁気的および電気的に同一のサブセットに分割される。
【００４１】
こうしたトローリーアセンブリは、極めて簡易かつ頑丈な構造を提供し、それでもなお走行機能およびユーザ快適性の柔軟かつ広範な相(flora)を提供する。同時に、こうしたトローリーアセンブリは、そのように所望される場合、従来の非駆動型(non-driven)トローリーとして使用し、および容易に使用されるのに安全である。特に、モータ１５１、１５２は、変速機（ギアボックス）を必要とせず、それが好適である。
【００４２】
好適な実施形態によれば、位置または速度センサ９は、制御ユニット１５０に回転モータ位置または速度情報を供給するホール効果(hall effect)センサである。
【００４３】
上記のとおり、制御ユニット１５０は、上記の少なくとも１つの電気モータ１５１、１５２を介してトローリー１００の車輪１１１、１１２に力を付与することにより、トローリー１００の多数の駆動パターン(drive pattern)を実装するよう配設される。
【００４４】
こうした駆動パターンの１つは、ユーザ設定可能な速度駆動パターンである。好適には、このパターンで、ユーザは、コントローラ１５５を介して、所望のトローリースピードまたは速度を設定する。例えば上記のコントローラ１５５がセットされ、および／または別個のパワーコントローラがスイッチオンされることにより、動作中（アクティブ）である際、制御ユニット１１０は、センサ９を使用して、トローリー１００のスピードを連続的に計測し、フィードバックループに基づいて、バッテリー１５６からモータ１５１、１５２へ供給される電圧を調整することにより上記のユーザが設定するスピードと比較し、これにより、上記のユーザ設定スピードまたは速度を達成する。ユーザ設定速度は、コントローラ１５５を使用して、例えば「５ｍ／ｓ」等の数値として特定されてよく、あるいは、ユーザが例えば「低速」、「中速」、「高速」から値を選択することにより設定されてよく、この値は、その後、トローリー１００の特定の速度に変換される。
【００４５】
このユーザ設定可能なスピード駆動パターンのフィードバックループは、好適には、読み出された速度が減少し、および／またはユーザが設定した速度を下回る場合、それぞれのモータ１５１、１５２に供給される電圧を増加することを含み、および逆の場合も同じである。好適には、例えばＰＩＤ(Proportional-Integral-Derivative)制御ループのような制御ループは、制御ユニット１５０に実装される上記のソフトウエアにより実装され、この制御ループは、トローリー１００の速度を可能な限りユーザが設定した速度に近づくよう維持することを目的とする。こうしたフィードバックループの実装それ自体は、従来のものであってよい。
【００４６】
しかしながら、制御ユニット１５０は、上記のとおり、異なる極に印加される位相差を持つ可変電圧を使用して、上記のとおり、固定子２の極７のそれぞれに印加される電圧を制御することにより、モータ１５１、１５２を制御する。これにより、滑らかでかつ連続して調整可能なフィードバック制御が提供され、結果として快適なユーザ体験がもたらされる。
【００４７】
上記の電圧制御フィードバック制御ループと並列に、または好適には直列に、例えば、上記の電圧制御フィードバック制御ループの下流に、ユーザ設定可能なスピード駆動パターンフィードバック制御ループはさらに、検出された現在のモータ１５１、１５２の電流使用に基づいて、モータ１５１、１５２の電力消費を調整するフィードバックループを備え、これにより、電流使用の上昇は、電力消費の上昇の結果をもたらす。この追加的なフィードバック制御ループは、それ自体は従来のものであってよいが、好適には、モータ１５１、１５２自体の内部のモータ１５１、１５２の制御回路に実装される。
【００４８】
こうして、制御ユニット１５０は、モータ１５１、１５２に供給される電圧を連続的に調整し、これにより、ユーザが設定した速度を達成する。同時に、モータ１５１、１５２の電流使用がモニターされ、モータ１５１、１５２の瞬間電力消費が、瞬間的に使用されている電流に基づいて調整される。これら２つのフィードバックループの組み合わせにより、トローリー１００の速度の極めて効率的かつ滑らかな制御が提供される。好適には、モータ１５１、１５２の電力消費の後者のフィードバック制御ループはまた、モータ１５１、１５２の出力(power)がアクティブである限り、他の駆動パターンでも使用される。実際に、制御ユニット１５０により現在実装されている駆動パターンのタイプにかかわりなく、同様のモータの電流対電力(current vs power)のフィードバックループは、同様にアクティブであってよい。
【００４９】
こうして、ユーザ設定可能なスピードフィードバック制御は、ユーザが設定したトローリー１００のスピードに自動的に到達してこれを維持する。しかしながら、ユーザがトローリー１００をユーザが設定したスピードより速く押そうとする際、または下り坂を走行中にトローリー１００がユーザの設定したスピードを超えてスピードを上げた際、好適には、上記のユーザ設定可能なスピード駆動パターンのフィードバック制御ループはまた、ブレーキ(braking)メカニズムを採用する(engaging)ことを含む。
このブレーキメカニズムは、好適には、ユーザが設定したスピードが、所定の相対または絶対値分超えた場合に、自動的に起動される。ある実施形態において、所定の値は、絶対値「ゼロ」であってよく、これは、ブレーキメカニズムが、検出されたトローリー１００のスピードが、ユーザが設定したスピードを超え次第、自動的に起動されることを意味する。トローリーのスピードはまた、センサ９を使用して読み出されることができることを理解すべきである。
【００５０】
こうしたブレーキメカニズムのある好適な例において、モータ１５１、１５２は、発電機(generator)モードで駆動されるよう配設される。この発電機モードは、モータ１５１、１５２に関連して配置されるモータ１５１、１５２の制御回路、および／または制御ユニット１５０によるアクティブ（能動）制御(active control)を含み、このアクティブ制御は、制御ユニット１５０が、モータ１５１、１５２の回転子３の、モータ１５１、１５２の固定子２に対する強制回転(forced rotation)による誘導電流の方向を制御する。発電機モードはまた、制御ユニット１５０が、バッテリー１５６を再充電するため、上記電流をバッテリー１５６に供給することを含む。
換言すれば、制御ユニット１５０は、モータ１５１、１５２の回転の関数として、固定子２の極７へのおよびこれらからの電流方向をあるパターンで設定するよう配設され、これは、モータ１５１、１５２を駆動する際供給される電流に対応し、これにより、ネット（正味）(net)電流が、固定子２の極７から引き出されることができ、およびバッテリー１５６へこれの再充電のため供給されることができる。こうして、この好適なケースにおいて、上記のブレーキメカニズムは、制御ユニット１５０がモータ１５１、１５２を発電機モードへスイッチすること、および生成された電圧を使用してバッテリー１５６を再充電することを含む。
【００５１】
こうしたブレーキメカニズムの他の好適な例において、トローリー１００は、制御ユニット１５０により起動されるよう配設される機械的ブレーキ（不図示）を備え、および上記ブレーキメカニズムは、トローリー１００のスピードが、上記のとおりユーザが設定したスピードを超えた際に、上記の機械的ブレーキを起動することを含む。ある好適なこうした機械的ブレーキは、上記制御ユニット１５０により印加される電圧による電気機械的力で押されることにより、少なくとも１つの車輪１１１、１１２が回転するのを、例えば、少なくとも１つの駆動モータ１５１、１５２の固定子２に対して回転子３が回転するのを防止することにより、機械的に防止する位置に入るスプリント(sprint)等である。こうして、検出されたトローリー１００のスピードが、ユーザが設定したスピードに依存してよいある最大スピードを超えた場合、即時の停止が達成される。機械的ブレーキはまた、摩擦ブレーキを備えてよい。
【００５２】
好適には、発電機モードブレーキメカニズムは、機械的ブレーキと結合し、これにより、機械的ブレーキは、発電機モードブレーキメカニズムがアクティブであるが、トローリー１００のスピードが未だ、ユーザが設定したスピードに依存してよいある所定の値を上回る場合に起動される。
【００５３】
他の駆動パターンは、フリーホイール（惰性走行）(free-wheeling)駆動パターンであり、このパターンにおいて、制御ユニット１５０は、車輪１１１、１１２へいかなる推進力も付与せず、同時に、モータ１５１、１５２の内部駆動摩擦を最小化するよう配設される。これにより、トローリー１００は、従来の非電動推進型トローリーのように動作する。このフリーホイール駆動パターンは、好適には、制御ユニット１５０が、モータ１５１、１５２へ、対応するフリーホイール駆動モードを、好適にはモータ１５１、１５２へ供給される電圧を単純にスイッチオフすることにより、実装することにより起動される。
【００５４】
特に、好適には、フリーホイール駆動パターンは、あらゆる部品、例えばモータ１５１、１５２自体、と機械的に開放される(disengaging)ことにより、起動されるものではない。むしろ、回転子３は、好適には、トローリー１００がフリーホイールする際、固定子２に対して回転するよう配設される。
【００５５】
特に好適な実施形態によれば、フリーホイール駆動パターンは、制御ユニット１５０への主電源がスイッチオフされている限り、アクティブである。これは、モータを上記のタイプのものとし、いかなる極６，７へも電圧を供給しない際、極めて低摩擦のフリーホイールを提供する。フリーホイール駆動パターンはまた、制御ユニット１５０への総電力(general power)がスイッチオンされた際にも、能動的にスイッチを操作することにより起動されてよい。さらに好適には、フィードバック支援駆動パターンは、駆動ユニット１５０への電力がスイッチオンされた結果として、自動的に起動されてよい。
【００５６】
一般に、ユーザ設定スピードがゼロに設定される場合、制御ユニット１５０は、好適には、少なくとも１つの上記ブレーキメカニズムをトローリー１００へ適用するよう配設され、これにより、トローリー１００を、いくらかの力で押すまたは引くことなしに移動すること、またはユーザ設定スピードがゼロでない値に設定されることを避ける。
【００５７】
好適には、少なくとも１つの車輪軸１１０がそうした軸１１０上のそれぞれの車輪１１１、１１２のために１つのモータ１５１、１５２を備える場合、それぞれのそうしたモータ１５１、１５２は、制御ユニット１５０により独立して制御され、フィードバック制御推進モードの間、問題となる車輪１１１、１１２のための上記のユーザ設定スピードを維持する。
【００５８】
異なるタイプのフィードバック制御推進駆動パターンが、例えばコントローラ１５７を使用して、選択可能であってよい。例えば、最小スピード駆動パターンがまた、制御ユニット１５０により、上記したユーザ設定スピード駆動パターンに対応する方法で実装されてよい。
【００５９】
さらに、好適な実施形態において、モータ１５１、１５２の駆動力が、制御ユニット１５０の制御によって、インタフェース１５３に備えられるユーザ制御（制御装置）(user control)、例えば回転ハンドルバー、に適用されるゼロでないトルクに関する情報を制御ユニット１５０へ供給するトルクセンサに少なくとも部分的に基づいて、適用される。この場合、制御ユニット１５０は、モータ１５１、１５２を制御して、ゼロでないトルクが検出される限り、ゼロでない駆動力を適用する。
好適には、こうした（ユーザにより）適用されるトルクは、制御ユニット１５０内の変換アルゴリズムにより、選択されるスピードに変換され、この変換アルゴリズムは、より速いトルクを、トローリー１００の現在の回転スピードより速いスピードとして解釈する。換言すれば、ユーザは、より多くのまたはより少ないトルクを適用することにより、現在計測されるトローリーのスピードと比較して相対的に見れば、設定されたトローリーのスピードを制御することができる。
【００６０】
これに替えてまたは加えて、押す力のセンサ(push force sensor)、例えばトローリー１００のハンドルバー(handlebar)１３０に配置される、が配設されて、ユーザによりトローリー１００に印加される押す力を直接検出し、ゼロでないそうした押す力がユーザにより印加される場合にのみ、制御ユニット１５０に、モータ１５１、１５２を介して車輪１１１、１１２へ駆動力を適用させてよい。この押す力のセンサは、デッドマンスイッチと同様であってよく、または後者の替わりに使用されてよい。上記のブレーキメカニズムはまた、トローリー１００が駐車している際の安全メカニズムとして、少なくとも所定の最小の大きさであるそうしたトルクまたは押す力が適用されていない場合に、起動されてよい。
【００６１】
ある好適な実施形態において、上記のトルクセンサは、後方および前方の方向のトルクの間を判別（識別）するよう配設されてよく、これにより、その／それぞれのモータ１５１、１５２は、トルクセンサにより検出される方向に依存して、上記のフィードバック支援推進駆動パターンの間、後方または前方に駆動されるよう配設される。
【００６２】
代替的にまたはこれに加えて、制御ユニット１５０は、好適には、上記の位置または速度センサ９により供給される情報に基づいてトローリー１００の進行方向(rolling direction)を検出し、検出された進行方向で、上記のフィードバック支援推進駆動パターンを実装するよう配設されてよい。
【００６３】
好適には、ユーザ設定可能なフィードバック推進フィードバックパターンは、前方または後方推進のため、全体として、または実質的に同一に実装される。こうして、ユーザがトローリー１００を前方に搬送して、引く力を使用して、トローリー１００を停止させ、その後、さらに引いてトローリー１００を後退(backwards motion)させた場合、制御ユニット１５０は、進行方向のこの変更を自動的に検出して、かわりに、トローリー１００の後退を達成および維持する目的で、モータ１５１、１５２を調整する。目標とする後退スピードは、ユーザ設定の前方へのスピードと同様であってよく、または所定のあるいは前方推進の場合のユーザ設定スピードに比例する、より低いスピードであってよい。対応して、ユーザが再度、トローリー１００を停止させ、これを前方に押すことを開始した際、制御ユニット１５０は再度、これを自動的に検出して、上記のとおり、ユーザ設定の前方へのスピードを目指す調整へスイッチする。
【００６４】
好適には、プログラムスイッチ１５７がユーザにより使用されて、異なる駆動パターンの間をスイッチすることができる。そうした追加的駆動パターンの１つはまた、上記の揺動(rocking)駆動パターンであり、この駆動パターンは、制御ユニット１５０が、少なくとも１つのモータ１５１、１５２を制御して、時間の関数として所定の回転パターンに基づいて、トローリー１００を後方および前方へ推進することにより実装される。
【００６５】
好適には、例えばスイッチ１５７を使用して一旦トローリー１００が停止すると(come to a standstill)選択可能である、複数のそうした揺動駆動パターンが利用可能である。それぞれのそうした揺動駆動パターンは、好適には、例えばスイッチ１５７を使用してユーザが揺動駆動パターンを終了するまで、無期限に(indefinitively)または所定の最大期間の間、トローリー１００をある距離だけ前方または後方の一方向に駆動すること、その後、トローリー１００をある距離だけ反対方向に駆動すること、等等を含む。
【００６６】
好適には、異なるそうした揺動駆動パターンは、駆動方向および駆動スピードを切り替える際、方向および加速度の双方で駆動距離の異なる組み合わせを備える。ある好適な実施形態によれば、少なくとも３つの異なる揺動駆動パターンがあり、滑らかで遅い揺動パターン、好適には双方向において比較的長い駆動距離での、から、より急で(harsh)、速くかつよじれた（曲がりくねった）(quirky)揺動パターン、好適には双方向において比較的短い駆動距離での、まで徐々に変動する。
好適には、一連の揺動プログラムが実装されて、５ｃｍ未満の前方／後方運動から２０ｃｍより長い前方／後方運動まで、好適には関連した減少する揺動頻度および好適にはまたターン(turns)の間の進行スピード(rolling speed)で、変動することができる。
【００６７】
通常、揺動駆動パターンは、トローリー１００の真っ直ぐ前方および後方の駆動運動(driving motions)を備える。ある好適な実施形態によれば、少なくとも１つの揺動駆動パターンはしかしながら、１つの車輪１５１、またはトローリー１００の片側の複数車輪を一方向に駆動し、一方、場合により、反対の車輪１５１または複数車輪を他のスピードでまたは他の方向へ駆動することを含み、これにより、横向きの(side-ways)回転運動を、好適にはトローリー１００の急な方向転換（よじれ）(quirk)の形式で達成する。そうした横向き回転は、揺動駆動パターンそれ自体として実装されてもよいが、好適には、純粋な前方／後方運動に基づく他の揺動駆動パターンの一部として実装される。
【００６８】
例えば、５回の前方／後方揺動ごとに、または不規則な間隔で、１回または複数の横向きの急な方向転換(quirk)が、制御ユニット１５０によりトローリー１００に付与される。これは、より予測可能でなく一様でない揺動機能を提供し、子供および生物学的試料等の双方にとって有利であり得る。
【００６９】
好適には、上記の揺動駆動パターンは、ここに開示されるすべての駆動パターンの場合のように、これらのプログラム間の機能上の相違に関して、ソフトウエアに、好適には純粋にソフトウエアに、実装され、および同一のハードウエアを使用して、制御ユニット１５０により実行される。
【００７０】
上記のとおり、トローリー１００は、好適には、デッドマンスイッチ１５４を備える。制御ユニット１５０は、制御ユニット１５０が給電され、上記の位置または速度センサからの情報が、トローリーが現在移動していることを示す場合、上記のタイプのブレーキメカニズムを適用するよう配設される。
【００７１】
以上、好適な実施形態が説明された。しかしながら、当業者であれば、本発明の基本的な思想から離れることなく、開示された実施形態に対して多くの修正が可能であることは明白である。
【００７２】
例えば、上記した機能の多く、少なくともバッテリー１５６、制御ユニット１５０、およびモータ１５１、１５２は、軸１１０に封入されることができ、その後好適な方法で、外部のユーザインタフェース１５３に接続されて、ハンドルバー１３０上に搭載される。こうして、既存のトローリーの既存の軸は、本発明の機能を提供する軸で置き換えることができる。結果として、既存のトローリーは、容易にアップグレードされて、本発明に係るトローリー１００になり得る。
【００７３】
上記とは別に、さらに多くの駆動パターンがある。例えば、ある駆動パターンは、起動された際、トローリー１００を所定の距離前方へ推進して停止してよい。ダイブ（飛び出し）(dive)パターンが、それ自体は従来のものであってよいが、例えばＷｉＦｉインターネット接続上無線で、および制御ユニット１５０を使用する方法で、ソフトウエアをアップグレードすることにより、トローリー１００に付加されてよい。
【００７４】
揺動駆動パターンを実装する際、トローリー１００がその停止位置から過度に移動するのを避けるため、そうした揺動駆動パターンは、好適には、３０分以下の最大期間の間、常に実装される。しかしながら、特定のメカニズムを使用して、トローリー１００を概略同一の位置に保つこともまた可能であり、その位置の周囲で揺動が実行される。
実施例は、下方を見下ろすデジタルカメラを配置して、トローリー１００が移動するフロアの画像をキャプチャーし、従来の画像解析アルゴリズムを使用して、決定された固定参照位置に対するトローリー１００の位置を連続的または間欠的に決定し、および揺動運動の間、車輪１５１、１５２３を補正する調整を付与し、これにより、時間軸上、トローリー１００を上記固定参照位置に対して同一の位置に概略保つ、ことを含む。
【００７５】
さらに、同一のシャーシ１０１上に、互換性ある(interchangeable)複数の本体１２０とともにトローリー１００を配設することが可能であり、これにより、ユーザは、駆動パターンの異なるセットのためのサポートを必ずしも導入することなく、子供用の支持本体１２０および買い物用の運搬本体１２０の間を切り替えることができる。
【００７６】
一般に、好適には、外部からモータに適用されるトルクを検出するため、および推進フィードバックメカニズムでの使用のため、モータ自体にはトルクセンサを導入しない。その理由は、上記のモータの電流対電力(current vs power)フィードバックループは、間接的に検出され外部から適用されるモータトルク、すなわち、計測されたモータ電流を介して間接的に計測されるトルク、に基づいて動作するフィードバックループとして、効果的に動作するからである。
【００７７】
こうして、本発明は、上記に開示した実施形態に限定されず、添付クレームの範囲内で変更可能である。
【図１】
2019513601.tif 000004
【図２】
2019513601.tif 000005
【国際調査報告】
2019513601.tif 000006
2019513601.tif 000007
2019513601.tif 000008
2019513601.tif 000009
2019513601.tif 000010